(57)【要約】      （修正有）【課題】多様な取付面に取り付けあるいは固定することのできる照明具を提供する。【解決手段】発光素子を搭載した発光体１を収容した照明具Ａは、発光体１を収容する筐体２と、発光体１を筐体２内に固定する平面視略Ｘ字状の留め具３とからなる。筐体は２、発光体１が固定される略平板状の固定部２１と、固定部２１の両側端に設けられた一対の側面部２２と、を有し、一対の側面部２２の内側には、長さ方向に延びる突条２２ａと条溝２２ｂが交互に複数段、形成されている。また、留め具３は、中心から外側に向かって延び、固定部２１上の発光体１の上面において、先端部が筐体２内の条溝２２ｂ内に嵌入する共に突条２２ａに係止し、固定部２１上に発光体１を留め置く四対の係止片を有する。【選択図】図１
2017199618.tif 000002
【特許請求の範囲】
【請求項１】
発光素子を搭載した発光体を収容した照明具であって、
上記発光体を収容する筐体と、
上記発光体を上記筐体内に固定する平面視略Ｘ字状の留め具と、からなり、
上記筐体は、
上記発光体が固定される略平板状の固定部と、
上記固定部の両側端に設けられた一対の側面部と、を有し、
上記一対の側面部の内側には、長さ方向に延びる突条と条溝が形成されており、
上記留め具は、
中心から外側に向かって延び、上記固定部上の上記発光体の上面において、先端部が上記筐体内の条溝内に嵌入する共に上記突条に係止し、上記固定部上に上記発光体を留め置く四対の係止片、を有し、
上記筐体の固定部において、上記発光体が固定される面とは反対側の面に、上記筐体を取付面に取り付けあるいは固定するための構造が設けられている、
ことを特徴とする照明具。
【請求項２】
上記留め具は、上記四対の係止片に比して、中心部が相対的に厚い、
請求項１記載の照明具。
【請求項３】
上記留め具は、四対の係止片の先端が略直角な角型形状からなる、
請求項１又は２記載の照明具。
【発明の詳細な説明】
【技術分野】
【０００１】
本発明は、発光体を収容した照明具に関する。
【背景技術】
【０００２】
近年、照明用の光源として、電球などに変わって発光ダイオード（ＬＥＤ）が様々なところで用いられている。
発光ダイオードは、消費電力が少なく、また寿命も長いことから、様々な照明用の光源として、又は信号機などの表示用の光源として用いられている。
【０００３】
本願出願人は、ＬＥＤの照明具の製造、販売の先駆的なメーカーとして、各種のＬＥＤ照明具を提供してきた。特に特許文献１において提案されるフレキシブル発光体は、ホテルや飲食店等の様々なところで、間接照明として利用されている。
【０００４】
このフレキシブル発光体は、配線を設けてなるフレキシブル基板の一面側に所定の間隔をおいて発光素子が配置され、上記フレキシブル基板が中空のチューブ状の軟性樹脂の中に挿入された発光体であって、上記フレキシブル基板には、数個の上記発光素子を一組とした一つのユニットが複数配列され、上記フレキシブル基板にはユニットごとに、上記発光素子を電気的に接続する配線が両面に設けられると共に、当該両面に設けられた配線を電気的に接続する貫通孔が設けられており、上記フレキシブル基板のユニット間には、上記ユニット間を電気的に接続すると共に、幅方向に切断可能な電極が設けられており、上記ユニット間が切断された際、切断された上記ユニット間には、上記フレキシブル基板の上記発光素子が配置された一面側に当該切断箇所から配線可能な正負の電極が形成されることを特徴とするものである。
【０００５】
【特許文献１】特許第５４９０２７９公報
【発明の開示】
【発明が解決しようとする課題】
【０００６】
このフレキシブル発光体は、棚板や壁面、天井等の取付面に直に取り付けて使用することができるが、より多様な取付面に対応することができれば便利である。
【０００７】
そこで本発明は、多様な取付面に取り付けあるいは固定することのできる照明具を提供することを目的とする。
【課題を解決するための手段】
【０００８】
上記目的を達成するため、本発明に係る照明具は、発光素子を搭載した発光体を収容した照明具であって、上記発光体を収容する筐体と、上記発光体を上記筐体内に固定する平面視略Ｘ字状の留め具と、からなり、上記筐体は、上記発光体が固定される略平板状の固定部と、上記固定部の両側端に設けられた一対の側面部と、を有し、上記一対の側面部の内側には、長さ方向に延びる突条と条溝が形成されており、上記留め具は、中心から外側に向かって延び、上記固定部上の上記発光体の上面において、先端部が上記筐体内の条溝内に嵌入する共に上記突条に係止し、上記固定部上に上記発光体を留め置く四対の係止片、を有し、上記筐体の固定部において、上記発光体が固定される面とは反対側の面に、上記筐体を取付面に取り付けあるいは固定するための構造が設けられていることを特徴とする。
【０００９】
また、上記留め具は、上記四対の係止片に比して、中心部が相対的に厚いものとしてもよい。
【００１０】
また、上記留め具は、四対の係止片の先端が略直角な角型形状からなるものとしてもよい。
【発明の効果】
【００１１】
本発明によれば、発光体が筐体内に確実に固定され、当該筐体内に発光体が収容された照明具は、多様な取付面に取り付けあるいは固定することができる。
【図面の簡単な説明】
【００１２】
【図１】本発明の実施形態に係る照明具を示した外観斜視図である。
【図２】本実施形態に係る照明具を構成する発光体を示した外観斜視図である。
【図３】本実施形態に係る照明具を構成する筐体を示した外観斜視図である。
【図４】本実施形態に係る照明具を構成する留め具を示した（ａ）平面図、（ｂ）側面図である。
【図５】本実施形態に係る照明具において、留め具によって発光体を筐体に固定した状態を示した（ａ）断面図、（ｂ）平面図である。
【図６】本実施形態に係る照明具を構成する発光体に取り付けて使用されるキャップを示した外観斜視図である。
【図７】本実施形態に係る照明具を構成する発光体にキャップを取り付けた状態を示す（ａ）外観斜視図、（ｂ）断面図である。
【図８】本実施形態において、照明具に取り付けて使用されるカバーの一例を示した外観斜視図である。
【図９】本実施形態において、照明具に一の例に係るカバーを取り付けた状態を示した正面図である。
【図１０】本実施形態において、照明具に取り付けて使用されるカバーの別の例を示した外観斜視図である。
【図１１】本実施形態において、照明具に別の例に係るカバーを取り付けた状態を示した正面図である。
【図１２】本実施形態において、照明具に取り付けて使用されるカバーの別の例を示した外観斜視図である。
【図１３】本実施形態において、照明具に取り付けて使用されるカバーの別の例を示した外観斜視図である。
【図１４】本実施形態において、照明具に別の例に係るカバーを取り付けた状態を示した正面図である。
【図１５】本実施形態に係る照明具を構成する筐体に取り付けて使用されるキャップを示した外観斜視図である。
【図１６】本実施形態に係る照明具を構成する筐体に対し、キャップを取り付ける様子を示した外観斜視図である。
【図１７】本実施形態において、一対の照明具を連結する連結具を示した外観斜視図である。
【図１８】本実施形態において、一対の照明具を連結具によって連結する様子を示した（ａ）外観斜視図、（ｂ）平面図である。
【図１９】本実施形態に係る照明具を取付面に取り付けるための取付部材を示した外観斜視図である。
【図２０】本実施形態に係る照明具を取付部材によって取付面に取り付けた状態を示す断面図である。
【図２１】本実施形態に係る照明具を固定部材によって取付面に固定した状態を示す外観斜視図である。
【図２２】本実施形態に係る照明具と固定部材の構造を示した分解斜視図である。
【図２３】本実施形態に係る照明具を固定部材によって取付面に固定する様子を示した図であって、（ａ）固定前、（ｂ）固定後を示す。
【図２４】本実施形態に係る照明具を取付面に懸吊させるための懸吊部材を示した外観斜視図である。
【図２５】本実施形態に係る照明具を懸吊部材によって取付面に懸吊させた状態を示す外観斜視図である。
【図２６】本実施形態に係る照明具を懸吊部材によって取付面に懸吊させた状態を示す断面図である。
【発明を実施するための最良の形態】
【００１３】
以下、本発明の実施形態に係る照明具について、図を参照して説明する。
本実施形態に係る照明具Ａは、図１に示されるように、筐体２の内部に発光体１を収容した長尺の照明具であって、主に間接照明として棚や壁、天井等の取付面に取り付けあるいは固定して使用される。
この照明具Ａは、発光体１、発光体１を収容する筐体２、及び発光体１を筐体２内に固定する留め具３からなる。
【００１４】
発光体１は、図２に示されるように、両端が開口した中空のチューブ１１と、発光素子１２ａを搭載した基板１２とからなり、筐体２同様に長尺である。
なお、発光体１は、図示を省略しているが、発光素子１２ａ以外の抵抗やコンデンサといったその他の素子、外部電源に接続するためのコネクタ等を備える。
【００１５】
チューブ１１は、透明又は半透明の透光性を有する軟性樹脂からなり、中空の内部は貫通孔１１ａを構成し、当該貫通孔１１ａ内に基板１２が開口部から挿入されている。
基板１２は、可撓性を有するフレキシブルプリント基板（FPC：Flexible Printed Circuits）であり、取付面の曲面形状等に沿ってチューブ１１ごと適宜に撓ませることができる。この基板１２上には、一定のピッチで発光ダイオード（LED：Light Emitting Diode）によって構成される発光素子１２ａが複数、搭載されている。
【００１６】
筐体２は、図３に示されるように、内部に発光体１を収容する断面略Ｈ字状の長尺部材であり、アルミ等の金属材料を用いた射出成形等によって作製される。
この筐体２は、発光体１が固定される固定部２１と、固定部２１の両側端に設けられた一対の側面部２２とからなる。また、固定部２１の一面側は、発光体１が収容される挿込部２ａを形成し、他面側は、筐体２を取付面に取り付けるための各種の取付部材が取り付けられたり挿し込まれたりする挿込部２ｂを形成する。
【００１７】
固定部２１の上面側ないしは挿込部２ｂ側の中心部には、上方に突出すると共に、断面略円形状の溝を備えた突条溝２１ａが長さ方向に形成されている。
一方、この固定部２１の下面側ないし挿込部２ａ側には発光体１が配設され、留め具３によって当該発光体１が固定部２１の表面上に留め置かれる
【００１８】
一対の側面部２２は、略矩形状の平板状部材であって、固定部２１の一面側に挿込部２ａを形成すると共に、他面側に挿込部２ｂを形成する。
挿込部２ａにおいて、一対の側面部２２の内側には、長さ方向に延びる突条２２ａと条溝２２ｂが交互に複数段、形成されている。条溝２２ｂには留め具３の係止片３１の先端が嵌入し、突条２２ａには、条溝２２ｂに嵌入した係止部３１の先端が係止する。留め具３はこのように、係止片３１の先端が条溝２２ｂ内に嵌入すると、下方へ抜出不能となる。
【００１９】
挿込部２ｂにおいて、一対の側面部２２の上端部には夫々、直角に折曲して内側に僅かに延出したフランジ２３が設けられている。
【００２０】
留め具３は、図４に示されるように、発光体１を筐体２内に固定する平面視略Ｘ字状の部材であり、ポリカーボネート等、僅かな弾性を有する樹脂からなる。
この留め具３は、中心から外側に向かって点対称に延びる四対の係止片３１と、中心部の球状突起３２とからなる。
また、留め具３の外形寸法について、長さと幅は同寸法であり、筐体２内で相対する一対の条溝２２ｂの溝底間の距離と略同じである。また、その厚みは、係止片３１の先端部分において、筐体２内の一の条溝２２ｂの幅、あるいは隣接する突条２２ａ間の距離と略同じである。
【００２１】
四対の係止片３１は、中心から外側に向かって徐々に幅広且つ肉薄に形成されると共に、先端部は略直角な角型形状を形成している。
この四対の係止片３１は、筐体２の固定部２１上に配設された発光体１の上面側において、先端部が筐体２内の条溝２２ｂに嵌入すると共に、突条２２ａに係止する。
【００２２】
球状突起３２は、中心部の一面側と他面側の両面において半球状に突起した部分である。
この球状突起３２は、筐体２内において発光体１に当接し、当該発光体１を固定部２１上に押さえつける。
【００２３】
以上の構成からなる筐体２と留め具３により、発光体１を筐体２内に固定した構造を図５に示す。
筐体２内に発光体１を固定する工程からこの構造を説明すると、まず、筐体２を挿込部２ａが上に向いた状態にして、筐体２内の固定部２１上に発光体１を配設する。このとき、発光素子１２ａの発光面が固定部２１と反対側を向くようにする。
【００２４】
そして、図５（ａ）のように、一対の側面部２２の間に、上方から発光体１上に留め具３を挿し入れる。このとき、留め具３が発光体１の発光素子１２ａ上に位置しないよう、隣接する発光素子１２ａの間に留め具３を配置する。
係止片３１を上方から押してやると、係止片３１は僅かに弾性変形し、係止片３１の先端部分が相対する一対の突条２２ａの下面に押し入れられる。
ここで、留め具３はその中心部が肉厚であり、さらに球状突起３２が形成されていることから、係止片３１の先端部分は僅かに弾性変形しつつ、その反発力によって、突条２２ａに係止する。
【００２５】
これにより、留め具３は、係止片３１の先端部が条溝２２ｂ内に嵌入すると共に、突条２２ａに係止し、発光体１は留め具３によってその表面から固定部２１上に押しつけられる。
このように、一定の間隔ごとに、留め具３によって発光体１を固定部２１上に固定することで、発光体１が筐体２内に固定される。
【００２６】
なお、発光体１を留めるために用いる留め具３の数は特に限定されないが、発光体１の長さに応じて、発光体１を筐体２内に固定するのに十分な数を用いるとよい。
また、本例の留め具３を用いることによって、発光体１は簡易に筐体２内に固定することができるが、接着剤等を用いて発光体１を筐体２内の固定部２１上に接着させることもできる。
【００２７】
＜発光体用キャップ＞
上述した筐体２内に固定される発光体１に好適なキャップを図６に示す。
キャップ４は、発光体１の長さ方向の端部に取り付けて使用され、発光体１のチューブ１１の開口端部を閉止する。
【００２８】
キャップ４は、略矩形状の基台部４１、基台部４１の上端から直角に折曲し、発光体１の上面側に延出する延出部４２、基台部４１の内側の略中央部分において延出部４２と略平行に突出し、発光体１の貫通孔１１ａ内に嵌入する嵌入部４２から構成される。
【００２９】
基台部４１は外径寸法において、その幅が発光体１の幅と略等しく、また、延出部４２の厚みを除いた高さが発光体１の高さと略等しい。これにより、キャップ４を発光体１に取り付けた際、発光体１の幅方向及び下面側において、キャップ４が外側へはみ出ない。その結果、発光体１にキャップ４を取り付けた状態においても、発光体１は筐体２内に収容可能である。
【００３０】
基台部４１の内側は、嵌入部４３の周縁部分が僅かに凹んでいる。この部分は、キャップ４をチューブ１１に接着剤で接着させた際に生じる接着剤の余りが収容される凹部４１ａを構成する。
なお、別の実施例においては、凹部４１ａを形成しないものとすることもできる。
【００３１】
延出部４２は、先端部分が徐々に肉薄且つ幅狭になっている。これにより、キャップ４が発光体１に取り付けられた際、発光体１の表面とキャップ４の間において、段差による光の影などが生じにくいようになっている。
【００３２】
嵌入部４３は、基台部４１から外側に向かって、徐々に肉厚且つ幅狭に形成されている。基台部４１に近い基端部分は、発光体１のチューブ１１の貫通孔１１ａの開口部形状と略同等もしくは開口部形状よりも僅かに大きく、キャップ４が発光体１に取り付けられた際、当該貫通孔１１ａの開口部から嵌入部４３が抜け出にくいようになっている。
【００３３】
発光体１にキャップ４を取り付けた状態を図７に示す。
キャップ４の延出部４２は、発光体１の上面に延出している。
また、嵌入部４３は、発光体１の貫通孔１１ａ内に嵌入している。図７の例では、嵌入部４３の厚みによって、僅かにチューブ１１が弾性変形する程度に、嵌入部４３が貫通孔１１ａ内に嵌入し、容易に抜け出ないようになっている。
【００３４】
キャップ４は上述のとおり、幅方向において、チューブ１１の幅と略等しく、また、延出部４２の厚みを除いた高さがチューブ１１の厚みと略等しい。これにより、キャップ４が発光体１に取り付けられた状態において、チューブ１１の幅方向外側及び下方にキャップ４がはみだすことがないし、発光体１は、キャップ４が取り付けられた状態で筐体２内に収まる。
【００３５】
＜カバー＞
筐体２に取り付けて使用される照明具１のカバー５１を図８に示す。
カバー５１は透明又は半透明のポリカーボネート等の樹脂からなり、発光体１の光が照射される箇所に取り付けて使用される長尺の部材である。
【００３６】
このカバー５１は、発光体１の光を外部に透過させる平板状の透光部５１１と、透光部５１１の両側端から上方に立ち上がると共に、部分的に外側に向かって膨らんだ一対の係止部５１２とから構成される。
【００３７】
図９に示されるように、カバー５１は、筐体２の発光体１が固定される挿込部２ａ側の下面側開口部近傍に取り付けられる。カバー５１は、係止部５１２が挿込部２ａの開口部から内側に収まり、係止部５１２の外側に膨らんだ部分が条溝２２ｂに係止する。なお、図９において、発光体１は筐体２の固定部２１上に留め具３によって固定されているが、留め具３は図示を省略している。
透光部５１１は、その幅が筐体２の幅と略等しく、その長さは筐体２の長さに略等しいため、カバー５１が筐体２に取り付けられた状態において、カバー５１側からは照明具Ａを見たとき、筐体２がカバー５１に隠れた状態となる。
【００３８】
発光体１から発せられる光は、カバー５１を介して外部に発せられる。そのため、カバー５１を半透明にすることで、一定のピッチで基板１２上に取り付けられた発光素子１２ａによる光のドット感を和らげたり、カバー５１の色味を任意のものとすることで任意の色合いの光が発せられたりする。
【００３９】
別の実施例に係るカバー５２を図１０に示す。
カバー５２は、カバー５１と同様、透明又は半透明のポリカーボネート等の樹脂からなり、発光体１の光が照射される箇所に取り付けて使用される長尺の部材である。
【００４０】
このカバー５２は、発光体１の光を外部に透過させる平板状の透光部５２１と、透光部５２１の一側端から鋭角に上方へ折曲して立ち上がった平板状の立設部５２２、立設部５２２の一側端部及び透光部５２１の一側端部から立ち上がると共に、部分的に外側に向かって膨らんだ一対の係止部５２３とから構成される。
【００４１】
図１１に示されるように、カバー５２は、筐体２の発光体１が固定される挿込部２ａ側の下面側開口部近傍に取り付けられる。カバー５２は、係止部５２３が挿込部２ａの開口部から内側に収まり、係止部５２３の外側に膨らんだ部分が条溝２２ｂに係止する。なお、図１１において、発光体１は筐体２の固定部２１上に留め具３によって固定されているが、留め具３は図示を省略している。
透光部５２１は、その水平方向の幅が筐体２の幅と略等しく、その長さは筐体２の長さに略等しいため、カバー５１が筐体２に取り付けられた状態において、カバー５１側からは照明具Ａを見たとき、筐体２がカバー５１に隠れた状態となる。
【００４２】
発光体１から発せられる光は、カバー５２を介して外部に発せられる。このとき、カバー５２の透光部５２１は、発光体１からの光の照射方向に対して斜めであることから、発光体１から発せられた光は、カバー５２の透光部５２１を透過する際に屈曲して、透光部５２１が面する方向を照らす。
これにより、図１１のように、照明具Ａを壁際に取り付けたとき、壁と反対の方向に透光部５２１が向くようにカバー５２を筐体２に取り付けると、壁とは反対の向きに発光体１からの光を多く向けることができる。
【００４３】
さらに別の実施例に係るカバー５３を図１２に示す。
カバー５３は、カバー５１と同様に透明又は半透明のポリカーボネート等の樹脂からなり、発光体１の光が照射される箇所に取り付けて使用される平板状且つ長尺の部材である。
【００４４】
このカバー５３は、筐体２の幅及び長さに対応した寸法からなり、その厚みは、筐体２の条溝２２ｂの幅に対応したものなっている。
このような寸法からなるカバー５３は、複数段形成されている筐体２の条溝２２ｂのうち、任意の位置の条溝２２ｂに挿し込まれ、これにより筐体２に固定される。
【００４５】
さらに別の実施例に係るカバー５４を図１３に示す。
カバー５４は、カバー５１と同様に透明又は半透明のポリカーボネート等の樹脂からなり、発光体１の光が照射される箇所に取り付けて使用される略平板状且つ長尺の部材である。
このカバー５４は、幅方向の中央部が膨らんでおり、この膨らみがレンズの役割を果たす。
【００４６】
図１４に示されるように、カバー５４はカバー５１と同様、複数段形成されている筐体２の条溝２２ｂのうち、任意の位置の条溝２２ｂに挿し込まれ、これにより筐体２に固定される。
カバー５４は、レンズとしての役割を兼ね備えるため、筐体２に取り付けて発光体１を発光させることで、光を収束させるなどの効果をもたらすことができる。
【００４７】
＜筐体用キャップ＞
筐体２に取り付けて使用されるキャップ６を図１５に示す。
キャップ６は、筐体２の長さ方向の端部に取り付けて使用される略平板状の部材であって、筐体２の端部形状に応じた形状からなる。
【００４８】
キャップ６には、筐体２の突条溝２１ａに対応した位置にネジ孔６ａが形成されている。また、筐体２に取り付けられる面には、凸部６１、６２が夫々、一対ずつ設けられている。
キャップ６は図１６に示されるように、筐体２の開口端部に取り付けられる際、凸部６１、６２が夫々、筐体２の挿込部２ｂ又は条溝２２ｂに嵌合する。また、ネジ孔６ａを介して突条溝２１ａにタッピンネジ等のネジ６ｂを螺合させる。
これにより、キャップ６は筐体２の開口端部を閉止する。
【００４９】
＜連結具＞
一対の照明具Ａを連結させる連結具７を図１７に示す。
連結具７は、略矩形形状からなる平板状の部材である。
この連結具７は、その幅が筐体２の挿込部２ｂの幅と同じあるいはそれよりも僅かに小さく、挿込部２ｂのフランジ２３の下面部分に挿し込むことができる。
また、幅方向の中心より外側の位置であって、互いに点対称となる位置に一対のネジ孔７ａが形成されている。
【００５０】
図１８（ａ）に示されるように、この連結具７は一対の照明具Ａを連結させる際、長さ方向の一端部が一の照明具Ａの挿込部２ｂに挿し込まれ、他端部が他の照明具Ａの挿込部２ｂに挿し込まれる。
さらに、図１８（ｂ）に示されるように、一対の照明具Ａの筐体２の端部同士が当接するまで連結具７を一対の照明具Ａの挿込部２ｂに挿し込んだ後、ネジ孔７ａにネジ７ｂを螺合させる。
【００５１】
ネジ孔７ａは、幅方向の中心より外側に寄った位置に設けられていることから、ネジ７ｂの先端は、突条溝２１ａを避けて、固定部２１に当接する。また、連結具７はフランジ２３に下面から当接し、これにより、一対の照明具Ａが互いと離間しないように連結される。
【００５２】
＜取付部材＞
照明具Ａを壁面等の取付面に取り付ける際に使用される取付部材８１を図１９に示す。
取付部材８１は、略矩形状の平板を長さ方向の所定の位置で直角に折曲させた形状からなり、筐体２の上面側に係止する略平板状の係止部８１１と、係止部８１１の一側端部から直角に折曲して延出した延出部８１２から構成される。
【００５３】
係止部８１１には、裏面側ないしは筐体２側に四対の係止爪８１１ａが設けられている。係止爪８１１ａは、係止部８１１が筐体２の上面側に取り付けられた際、フランジ２３の下面側に係止する。
また、延出部８１２には貫通孔８１２ａが形成されている。なお、この貫通孔８１２ａは、ネジ８１２ｂのネジ頭が埋設するよう、ネジ頭の形状に即した形状を有している。
【００５４】
このような構成からなる取付部材８１により、照明具Ａを取付面に取り付けた状態を図２０に示す。
照明具Ａを取付面に取り付ける際には、まず、取付部材８１を取付面の所定の位置に配置し、貫通孔８１２ａを介して取付面にネジ８１２ｂを螺合せしめる。このように取付部材８１を取付面に取り付けた後、筐体２の上部を取付部材８１の係止部８１１に押し当てる。これにより、係止部８１１の裏面に設けられている係止爪８１１ａが筐体２のフランジ２３の下面に係止し、照明具Ａが取付部材８１に取り付けられると共に、取付部材８１を介して取付け面に固定される。
【００５５】
＜固定部材＞
照明具Ａを、互いに離間した一対の棚板等の取付面の間に固定する固定部材８２を図２１に示す。
固定部材８２は、押え部材８３、嵌合部材８４、及びネジ棒８５と併用されて、互いに離間した取付面の間に照明具Ａを固定する部材である。
この固定部材８２は、上面部８２１、上面部８２１の両側端部から直角に折曲して延出した一対の側面部８２２、側面部８２２の端部から外側に延び出たフランジ８２３から構成される。
【００５６】
上面部８２１は、平面視略平行四辺形状からなり、中央に貫通孔８２１ａが形成されている。なお、貫通孔８２１ａの内周面にはネジ溝が形成されていてもよい。
また、一対の側面部８２２の間の距離は、筐体２の幅よりも長く、筐体２に上方から固定部材８２を被せると、筐体２の側面部２２と固定部材８２の側面部８２２との間には隙間が形成される。
【００５７】
固定部材８２と併用される押え部材８３は、矩形状の上面部８３１、上面部８３１の両側端部から直角に折曲して延出した一対の側面部８３２、側面部８３２の端部から外側に延び出たフランジ８３３から構成される。
【００５８】
一対の側面部８３２の間の距離ないしは上面部８３１の幅は、筐体２の幅と略等しく、筐体２に上方から押え部材８３を被せると、一対の側面部８２３の間に筐体２が隙間なく収まる。
【００５９】
嵌合部材８４は、図２２に示されるように、下面側からネジ棒８５が貫通すると共に、ネジ棒８５のネジ頭が抜出不能に係止する貫通孔８４ａが形成された略円柱状の部材である。この嵌合部材８４の外周面からは、一対のフランジ８４１が外側に張り出している。一対のフランジ８４１は、点対称な形状からなり、一の角部が直角に形成されると共に、他の角部が弧状に形成されている。また、一のフランジ８４１の端部から他のフランジ８４１の端部までの長さは、筐体２の挿込部２ｂの内寸の幅と等しい。なお、貫通孔８４ａの内周面には、ネジ溝が形成されていてもよい。
【００６０】
ネジ棒８５には、一端側に、軸部よりも径の大きいネジ頭が形成されている。ネジ棒８５は、嵌合部材８４の貫通孔８４ａに挿通されると、ネジ頭が嵌合部材８４内に収まるようになっている。
【００６１】
固定部材８２、押え部材８３、嵌合部材８４、及びネジ棒８５により、照明具Ａを取付面に固定する場合の工程について、図２２、図２３を参照して説明する。なお、筐体２の固定部２１には、嵌合部材８４の略円柱状の部分を貫通させる貫通孔を予め設けておく。
まず、筐体２の所定の位置において、固定部材８２と押え部材８３を筐体２の上面に被せる。このとき、固定部材８２は、側面部８２２が筐体２の側面部２２と平行になるように筐体２に被せておく。また、固定部材８２の上面部８２１と筐体２の固定部２１の間、ないしは挿込部２ｂ内には、フランジ８４１を筐体２の長さ方向にそろえた状態で、嵌合部材８４を挟み込ませる。
【００６２】
そして、固定部材８２と押え部材８３を被せた筐体２を一対の取付面の間に下方から挿し入れる。このとき、押え部材８３は、取付面の下面側にフランジ８３３が係止する。一方、固定部材８２は、一対の取付面の間をすり抜けて、取付面の上面側へ抜け出る。
【００６３】
筐体２の固定部２１の下面側から、固定部２１に形成した貫通孔及び固定部材８２の上面部８２１の貫通孔８２１ａにネジ棒８５を螺合させる。このとき、ネジ棒８５の回転に応じて、嵌合部材８４が回転すると、嵌合部材８４の一対のフランジ８４１が筐体２の挿込部２ｂの幅方向を向き、嵌合部材８４は挿込部２ｂ内に固定される。
【００６４】
また、同様にして、ネジ棒８５の回転に応じて固定部材８２が回転する。このとき、図２３に示されるように、固定部材８２の略平行四辺形状の上面部８２１が回転した結果、その長辺が筐体２の幅方向と略直角に至ったとき、フランジ８２３の一部が取付面に迫り出し、フランジ８２３が取付面に上面側から係止する。
【００６５】
これにより、取付面の上面側及び下面側夫々に対して、固定部材８２のフランジ８２３と押え部材８３のフランジ８３３が係止し、筐体２が一対の取付面の間に固定される。
さらに、筐体２の固定部２１上に発光体１を取り付ければ、棚板等の互いと離間した一対の取付面の間に照明具Ａが固定される。
【００６６】
＜懸吊部材＞
照明具Ａを天井等の取付面から懸吊させる懸吊部材８６を図２４に示す。
懸吊部材８６は、挿込部材８７と併用されて、照明具Ａを天井等の取付面から懸吊させる部材である。
この懸吊部材８６は、照明具Ａを吊るす懸吊紐８６１と、懸吊紐８６１の先端に取り付けられた球状の抜止部材８６２から構成される。
なお、懸吊紐８６１は、紐のほかに、棒状部材によって構成されていてもよい。
【００６７】
挿込部材８７は、略矩形の平板状の上面部８７１と、上面部８７１の両側端部から直角に折曲して延出した一対の側面部８７２から構成される。
上面部８７１には、懸吊部材８６の懸吊紐８６１が挿通させられる貫通孔８７１ａが形成されている。
この上面部８７１の幅は、筐体２の挿込部２ｂの内寸の幅と等しく、挿込部２ｂ内に挿し込まれる。
【００６８】
懸吊部材８６及び挿込部材８７により、照明具Ａが天井等の取付面から懸吊された状態を図２５及び図２６に示す。
挿込部材８７は、筐体２の挿込部２ｂ内に挿し込まれている。挿込部材８７の側端部は、筐体２のフランジ２３に下面側から係止し、挿込部材８７が筐体２から上方へ抜け出ないようになっている。
【００６９】
挿込部材８７の上面部８７１に形成されている貫通孔８７１ａには、下面側から懸吊部材８６の懸吊紐８６１が通されている。懸吊紐８６１の一端に取り付けられた抜止部材８６２は、筐体２の固定部２１と挿込部材８７の上面部８７１の間に収まっている。上面部８７１の貫通孔８７１ａの直径は、球状の抜止部材８６２の直径よりも小さく、これにより抜止部材８６２は、上面部８７１の貫通孔８７１ａの縁部分に下面側から係止し、懸吊紐８６１によって照明具Ａが懸吊される。
【００７０】
以上の本実施形態に係る照明具Ａによれば、各種との部材と適宜併用することで、様々な取付面に取り付けて使用することができる。
【符号の説明】
【００７１】
Ａ        照明具
１        発光体
２        筐体
３        留め具
４        キャップ
５１      カバー
５２      カバー
５３      カバー
５４      カバー
６        キャップ
７        連結具
８１      取付部材
８２      固定部材
８３      押え部材
８４      嵌合部材
８５      ネジ棒
８６      懸吊部材
８７      挿込部材
【図１】
2017199618.tif 000003
【図２】
2017199618.tif 000004
【図３】
2017199618.tif 000005
【図４】
2017199618.tif 000006
【図５】
2017199618.tif 000007
【図６】
2017199618.tif 000008
【図７】
2017199618.tif 000009
【図８】
2017199618.tif 000010
【図９】
2017199618.tif 000011
【図１０】
2017199618.tif 000012
【図１１】
2017199618.tif 000013
【図１２】
2017199618.tif 000014
【図１３】
2017199618.tif 000015
【図１４】
2017199618.tif 000016
【図１５】
2017199618.tif 000017
【図１６】
2017199618.tif 000018
【図１７】
2017199618.tif 000019
【図１８】
2017199618.tif 000020
【図１９】
2017199618.tif 000021
【図２０】
2017199618.tif 000022
【図２１】
2017199618.tif 000023
【図２２】
2017199618.tif 000024
【図２３】
2017199618.tif 000025
【図２４】
2017199618.tif 000026
【図２５】
2017199618.tif 000027
【図２６】
2017199618.tif 000028